(57)【要約】【課題】配線ダクトの開口部側から接続できるようにして設置作業の効率化を図るとともに、配線装置と配線ダクトとの接続状態の判別が容易な配線装置及びこの配線装置を用いた配線ダクトシステムを提供することを目的とする。【解決手段】本発明は、機械的及び電気的接続手段４、５を有し、配線ダクト１０の長手方向に沿って形成された開口部１２側から接続可能な配線ダクト結合部３と、この配線ダクト結合部３の背面側に配設され、配線ダクト結合部３の長手方向の中心線を境に、この中心線と直交する方向の左右の寸法が異なるように非対称に構成された主壁面２とを備える配線装置１である。【選択図】図３
2010027420.tif 000002
【特許請求の範囲】
【請求項１】
機械的及び電気的接続手段を有し、配線ダクトの長手方向に沿って形成された開口部側から接続可能な配線ダクト結合部と；
この配線ダクト結合部の背面側に配設され、配線ダクト結合部の長手方向の中心線を境に、この中心線と直交する方向の左右の寸法が異なるように非対称に構成された主壁面と；
を具備することを特徴とする配線装置。
【請求項２】
長手方向に沿って形成された開口部を有し、この開口部側に長手方向に沿って極性表示用の突条が設けられた長尺状のダクト本体と、ダクト本体の内側に長手方向に沿って設けられた対をなす導電部を備えた配線ダクトと；
この配線ダクトの前記開口部側から接続される請求項１に記載の配線装置と；
を具備することを特徴とする配線ダクトシステム。
【請求項３】
配線ダクトには、開口部側に長手方向に沿って極性表示用の突条が設けられており、配線装置を配線ダクトに接続した場合、配線装置の主壁面と極性表示用の突条とが略面一になるように構成されていることを特徴とする請求項２に記載の配線ダクトシステム。
【発明の詳細な説明】
【技術分野】
【０００１】
本発明は、配線装置及びこの配線装置を用いた配線ダクトシステムに関する。
【背景技術】
【０００２】
従来から、照明器具やコンセント等の電気機器を任意の箇所に配設可能とするために、当該電気機器を任意の位置に取付可能であるとともに、電気機器がいずれの取付位置でも給電可能とする配線ダクトが用いられている。配線ダクトは、ダクト本体の内側に長手方向に沿って給電用の対をなす導電部が設けられており、これら導電部と電気機器側の対の端子とが接続して電気機器がいずれの取付位置でも給電可能としているものである。このような配線ダクトは、天井面や壁面等に複数本が任意に設置され、これら配線ダクトの端部間に配線装置としてジョインタを差込み、配線ダクト相互を機械的及び電気的に接続しているものである（例えば、非特許文献１）。
【０００３】
一方、配線ダクト用プラグにおいて、配線ダクトの開口部側から当該プラグを接続するものが知られている。ここには、プラグボディに、通常、配線ダクトに突設されている逆組防止片（極性表示用の突条）と噛合する逆組防止溝を形成し、配線ダクトとボディとの左右が逆転していると、配線ダクトに対してボディが傾き、配線ダクトにボディを固定することができず、配線ダクトに対するボディの向きを規定するようにした開示がある（特許文献１参照）。
【非特許文献１】松下電工  電設資材カタログ2006-2008  895頁「１００Ｖダクトシステム・アース付ダクトシステム」［平成20年7月18日検索］、インターネット
【０００４】
（http://biz.national.jp/Ebox/densetsu2006/index.html）
【特許文献１】特許第３６２２９４２号公報（［００３７］、図１０）
【発明の開示】
【発明が解決しようとする課題】
【０００５】
しかしながら、従来のような配線ダクトは、天井面や壁面等の設置面に複数本の配線ダクトを任意に設置したい場合には、設置面に配線ダクトを取付ける前に、複数本の配線ダクトの端部開口部側から連結用のジョインタを機械的及び電気的に接続し、一体の配線ダクトユニットを形成しなくてはならない。すなわち、一方の配線ダクトに接続された連結用のジョインタに対して他方の配線ダクトの長手方向における端部開口部を挿入及び係合させることで、複数本の配線ダクトの連結が行えるものである。ゆえに、設置面に配設したい所望の配線ダクトユニットを予め準備しておく必要があるため、所望の配線ダクトユニットが比較的長いものとなると、その設置作業には大人数を必要とし、施工が煩雑となる虞があった。
【０００６】
また、設置面に複数本の配線ダクトを任意に設置する他の方法として、１本の配線ダクトを設置面に取付けた後に連結用のジョインタを接続し、その後、他の配線ダクトをジョインタに接続することも考えられる。しかしながら、このような方法であっても、連結用のジョインタの接続及び当該ジョインタへの配線ダクトの接続は、配線ダクトの長手方向における端部開口部側から挿入する方法であるため、配線ダクトを支えながら作業を行わなければならず、特に、設置面が天井面である場合には、設置作業が非常に煩雑となるものである。
【０００７】
また、特許文献１に示されたものは、配線ダクトに対するボディの誤接続を防止しようとするものであるが、正規に接続された状態の視覚的判別がし難いばかりではなく、誤接続によって配線ダクトに対してボディが傾くといっても、視覚的に誤接続の状態の判別がし難く、このため、無理やりボディを押込む結果、配線ダクト等の破損を招きかねない虞があった。
【０００８】
本発明は、上記課題に鑑みなされたもので、配線ダクトの開口部側から接続できるようにして設置作業の効率化を図るとともに、配線装置と配線ダクトとの接続状態の判別が容易な配線装置及びこの配線装置を用いた配線ダクトシステムを提供することを目的とする。
【課題を解決するための手段】
【０００９】
請求項１に記載の配線装置は、機械的及び電気的接続手段を有し、配線ダクトの長手方向に沿って形成された開口部側から接続可能な配線ダクト結合部と；この配線ダクト結合部の背面側に配設され、配線ダクト結合部の長手方向の中心線を境に、この中心線と直交する方向の左右の寸法が異なるように非対称に構成された主壁面と；を具備することを特徴とする。
【００１０】
機械的接続手段及び電気的接続手段の構成は、その機能を満たすことができれば、格別限定されるものではない。配線装置には、例えば、Ｉ形、Ｔ形、＋形等のいわゆるジョインタがあるが、本発明は、いずれにも適用可能である。
【００１１】
請求項２に記載の配線ダクトシステムは、長手方向に沿って形成された開口部を有し、この開口部側に長手方向に沿って極性表示用の突条が設けられた長尺状のダクト本体と、ダクト本体の内側に長手方向に沿って設けられた対をなす導電部を備えた配線ダクトと；  この配線ダクトの前記開口部側から接続される請求項１に記載の配線装置と；を具備することを特徴とする。
【００１２】
請求項３に記載の配線ダクトシステムは、請求項２に記載の配線ダクトシステムにおいて、配線ダクトには、開口部側に長手方向に沿って極性表示用の突条が設けられており、配線装置を配線ダクトに接続した場合、配線装置の主壁面と極性表示用の突条とが略面一になるように構成されていることを特徴とする。
【発明の効果】
【００１３】
請求項１に記載の発明によれば、配線装置を配線ダクトの開口部側から接続できるので、設置作業の効率化を図ることができ、また、配線装置と配線ダクトとを正規の状態で接続でき、しかも接続状態の判別が容易な配線装置の提供が可能となる。
【００１４】
請求項２に記載の発明によれば、設置作業の効率化を図ることができ、また、配線装置と配線ダクトとを正規の状態で接続でき、しかも接続状態の判別が容易な配線ダクトシステムの提供が可能となる。
【００１５】
請求項３に記載の発明によれば、請求項２に記載の発明の効果に加え、配線ダクトシステムをコンパクトに構成できる。
【発明を実施するための最良の形態】
【００１６】
以下、本発明の配線装置及び配線ダクトシステムの第１の実施形態について図１乃至図６を参照して説明する。図１は、配線装置を示す平面図及び断面図、図２は、配線ダクトを示す断面図、図３は、配線装置と配線ダクトの接続状態を示す断面図、図４は、配線ダクトシステムを示す平面図、図５は、配線ダクトシステムの組立て状態を示す断面図、図６は、配線装置と配線ダクトとの誤接続状態を示す断面図である。
【００１７】
図１に示すように、配線装置１は、いわゆるＩ形のジョインタであって、合成樹脂製で略長方形状に形成され、主壁面２と配線ダクト結合部３とを備えている。配線ダクト結合部３の背面側には、この配線ダクト結合部３の長手方向に沿って主壁面２が形成されている。また、配線ダクト結合部３の両端側には、機械的接続手段４及び電気的接続手段５が設けられており、機械的接続手段４は、合成樹脂製で配線ダクト結合部３の両側に形成された溝孔３ａを通じて突没可能となっている。
【００１８】
電気的接続手段５は、導電性及び弾性を有する金属材料により形成され、配線ダクト結合部３の両側に形成された溝孔３ｂを通じて突没可能となっている。また、これら機械的接続手段４及び電気的接続手段５は、操作部６に接続されており、この操作部６の回動操作により、連動して配線ダクト結合部３の両側から突没されるようになっている。
【００１９】
主壁面２は、配線ダクト結合部３の位置関係で規定される長手方向の中心線を境にして、この中心線と直交する方向、すなわち、幅方向の長さ寸法が左右異なるように構成されている。つまり、Ｗ1＞Ｗ2の寸法関係になるように構成されており、主壁面２のこれら左右の壁面は、非対称の形状をなしている。なお、上記機械的接続手段４及び電気的接続手段５の構成は、その機能を満たすことができれば、格別限定されるものではない。
【００２０】
図２に示すように、配線ダクト１０は、照明器具やコンセント等の電気機器を任意の箇所に配設可能とするために、当該電気機器を任意の位置に取付可能であるとともに、電気機器がいずれの取付位置でも給電可能としたものである。配線ダクト１０は、断面コ字状の長尺状のダクト本体１１を有し、例えば、亜鉛めっき鋼板等の金属製のダクト基材の外面全体を合成樹脂製の絶縁体により覆って一体的に形成されている。ダクト本体１１には、開口部１２が長手方向に沿って形成されているとともに、この開口部１２の両側には対になった支持鍔部１３が形成されている。さらに、開口部１２と反対側の壁面には、設置面に対してねじ等で取付けるための図示しない取付孔が形成されている。
【００２１】
ダクト本体１１の内側の両側位置には、対の絶縁性の導体保持部１４が長手方向に沿って設けられており、これら導体保持部１４には、電源ラインとして対となる導電部１５が長手方向に沿って取付けられている。導電部１５は、一方が電圧側導電部１５ａであり、他方が接地側導電部１５ｂである。また、開口部１２の一方の支持鍔部１３、すなわち、接地側導電部１５ｂ側である支持鍔部１３の外面には極性表示用の突条１６が一体に形成されている。なお、開口部１２と反対側の内壁面には、アースラインとなる導電部１５ｃが設けられている。
【００２２】
次に、配線装置１と配線ダクト１０の接続状態について説明する。図３（ａ）に示すように配線装置１の配線ダクト結合部３を配線ダクト１０の開口部１２から挿入する。すると、配線装置１の主壁面２の背面が配線ダクト１０の支持鍔部１３の外面に重なった状態となる。この状態から操作部６を回動操作すると、図３（ｂ）に示すように、機械的接続手段４及び電気的接続手段５が溝孔３ａ、３ｂを通じて突出し、機械的接続手段４は、両側の支持鍔部１３の内側に係合し、電気的接続手段５は、両側の導電部１５に接触して、それぞれが接続される。この状態では、主壁面２の左右の壁面は非対称の形状をなしているので、主壁面２が極性表示用の突条１６の上に重なり合わさることなく、極性表示用の突条１６が外面に現れ、主壁面２と極性表示用の突条１６とは略面一となって外面を構成する。したがって、方向の誤りなく正規に接続された状態であることを視覚的に容易に判別でき、しかも、主壁面２と極性表示用の突条１６とが略面一になることにより、高さ寸法の増大をもたらすことなくコンパクトな構成となる。
【００２３】
このように配線装置１によって配線ダクト１０相互を接続して、図４に示すように、配線ダクトシステム２０を構成する。また、図５に示すように、配線装置１をカバー２１で覆うようにしてもよい。カバー２１は、断面コ字状であり、接続された配線装置１と配線ダクト１０を覆うものであり、外観向上の機能をなすものである。具体的には、配線装置１（図５（ｂ））を配線ダクト１０（図５（ｃ））の開口部１２側から接続し、その上からカバー２１（図５（ａ））を被せて組立てる（図５（ｄ））。この場合、カバー２１は、主壁面２と極性表示用の突条１６とが略面一となっているので、極性表示用の突条１６の影響を受けることなく前記のように断面コ字状に形成でき、取付方向を規制されないので、取付作業が容易となる効果を奏する。
【００２４】
次に、配線ダクト１０を設置面に配設する場合について説明する。設置面に配設したい所望の配線ダクトユニットを予め準備しておく場合には、配線ダクト１０を複数本配線装置１によって接続するが、このとき、従来のように、配線ダクト１０の端部開口部側から接続することなく、配線ダクト１０を開口部１２を上にして床等に並べ、配線ダクト１０の開口部１２側から配線装置１を接続することができるので、作業が簡素化され、効率の向上を図ることができる。また、他の方法としては、例えば、天井面等の設置面に複数本の配線ダクト１０をレイアウトし仮固定しておき、その状態で各配線ダクト１０相互間を接続するように、開口部１２側から配線装置１を接続することができるので、この場合も作業の煩雑さが解消でき、効率の向上を図ることができる。
【００２５】
ところで、図６に示すように、誤接続の状態について説明する。配線装置１の接続方向を誤り、誤接続の状態である場合、主壁面２の左右の壁面は非対称の形状をなしているので、主壁面２が極性表示用の突条１６の上に重なり、乗り上げる状態となる（図６（ａ））。さらに押込むように押圧すると、主壁面２が傾き、極性表示用の突条１６とは反対側の主壁面２の部分が支持鍔部１３に当接し、段差Ｓが形成される。したがって、この段差Ｓの形成により誤接続であることを容易に判別することができる。
【００２６】
以上のように本実施形態によれば、設置作業の効率化を図ることができるとともに、配線装置と配線ダクトとを正規の状態で接続できる配線装置１及び配線ダクトシステム２０を提供することができる。また、配線装置１の誤接続を視覚的に容易に判別でき、加えて、正規の接続状態の判別も容易となる。さらに、配線装置１と配線ダクト１０の接続状態では、主壁面２と極性表示用の突条１６とが略面一になることにより、コンパクトな構成とすることができる。
【００２７】
次に、本発明の第２の実施形態について図７乃至図９を参照して説明する。図７は、配線装置を示す平面図及び要部の一部を断面した側面図、図８は、配線ダクトシステムを示す平面図、図９は、配線ダクトのレイアウトを示す平面図である。なお、第１の実施形態と同一又は相当部分には同一符号を付しその重複する説明は省略する。図７に示すように、本実施形態では、Ｌ形に配線装置１を構成したものである。この配線装置１は、図８に示すように、配線ダクト１０を直角に曲げて配設する場合に適している。
【００２８】
本実施形態においても配線ダクト１０の開口部１２側から配線装置１を接続することができ、また、接続状態においては、極性表示用の突条１６が外面に現れ、主壁面２と極性表示用の突条１６とは略面一となって外面を構成する。したがって、正規に接続された状態であることを視覚的に容易に判別でき、しかも、主壁面２と極性表示用の突条１６とが略面一になることにより、高さ寸法の増大をもたらすことなくコンパクトな構成となる。さらに、図９に示すように、配線ダクト１０を設置するにあたって、配線ダクト１０の端部１０ａを突き合わせてレアウトすることが可能で、配線ダクト１０の配設が容易となる効果が期待できる。
【００２９】
なお、１０図に示すように、配線装置１をＴ形（図１０（ａ））、＋形（図１０（ｂ））等、必要に応じ各種形状で構成でき、この場合も上述と同様な効果を奏することができる。
【図面の簡単な説明】
【００３０】
【図１】本発明の第１の実施形態に係る配線装置を示す平面図及び断面図である。
【図２】同配線ダクトを示す断面図である。
【図３】同配線装置と配線ダクトの接続状態を示す断面図である。
【図４】同配線ダクトシステムを示す平面図である。
【図５】同配線ダクトシステムの組立て状態を示す断面図である。
【図６】同配線装置と配線ダクトとの誤接続状態を示す断面図である。
【図７】本発明の第２の実施形態に係る配線装置を示す平面図及び側面図である。
【図８】同配線ダクトシステムを示す平面図である。
【図９】同配線ダクトのレイアウトを示す平面図である。
【図１０】配線装置の他の例を示す平面図である。
【符号の説明】
【００３１】
１・・・配線装置、２・・・主壁面、３・・・配線ダクト結合部、
４・・・機械的接続手段、５・・・電気的接続手段、１０・・・配線ダクト、
１２・・・開口部、１５・・・導電部、１６・・・極性表示用の突状
２０・・・配線ダクトシステム
【図１】
2010027420.tif 000003
【図２】
2010027420.tif 000004
【図３】
2010027420.tif 000005
【図４】
2010027420.tif 000006
【図５】
2010027420.tif 000007
【図６】
2010027420.tif 000008
【図７】
2010027420.tif 000009
【図８】
2010027420.tif 000010
【図９】
2010027420.tif 000011
【図１０】
2010027420.tif 000012